(57)【要約】【課題】装置全体で必要とする防水性をさらに緩和すると共に、いたずらにも強く対抗できるようにする。【解決手段】入退出用暗証キー入力装置１は、扉のガラス板４の屋外面に装着されたテンキーシート２と、ガラス板４の屋内面に取着された装置本体３とを備え、装置本体３には常時振動を発生する複数の加振部Ｓ１〜Ｓ＃と、加振部が発生した振動を受けて受振レベルを検出する受振部Ｒ１〜Ｒ２０と、制御装置１０とを有する。制御装置１０は、加振部Ｓ１〜Ｓ＃及び受振部Ｒ１〜Ｒ２０を常時受振状態し、前記いずれか一組の受振部の受振レベルが以前の受振レベルに対して変化したときに当該一組の受振部に対応するキー部についてタッチ操作有りと特定する操作キー特定手段を備える。【選択図】図１
2011198059.tif 000002
【特許請求の範囲】
【請求項１】
屋内外を仕切る仕切り板における屋外面に装着され、３×４列で配列された１２個のキー部を有しこれらキー部がユーザーの指でタッチ操作されるテンキーシートと、
前記仕切り板における屋内面に前記テンキーシートの裏側に対向するように装着される装置本体とを備え、
この装置本体は、本体ケースと、この本体ケース内に設けられた基板と、この基板における前記仕切り板側の面部に設けられ振動を発生して該振動を前記仕切り板に伝播する複数の加振部と、
前記基板における前記仕切り板側の面部に設けられ、前記加振部が発生した振動を受けて受振レベルを検出するものであって前記テンキーシートの各キー部からみてその周囲４箇所に設けられ当該周囲４箇所の４つで一組をなす１２組の受振部と、
前記基板に設けられた制御装置とを備え、
この制御装置は、前記加振部に常時振動を発生させ及び受振部を常時受振状態とし、前記いずれか一組の受振部の受振レベルが以前の受振レベルに対して変化したときに当該一組の受振部に対応するキー部についてタッチ操作有りと特定する操作キー特定手段を備えたことを特徴とする入退出用暗証キー入力装置。
【請求項２】
屋内外を仕切る仕切り板における屋外面に装着され、３×４列で配列された１２個のキー部を有しこれらキー部がユーザーの指でタッチ操作されるテンキーシートと、
前記仕切り板における屋内面に前記テンキーシートの裏側に対向するように装着される装置本体とを備え、
この装置本体は、
本体ケースと、
この本体ケース内に設けられた基板と、
この基板における前記仕切り板側の面部における前記キー部群の外周の４つの頂部に位置して設けられ振動を発生して該振動を前記仕切り板に伝播する４個の加振部と、
前記基板における前記仕切り板側の面部に設けられ、前記加振部が発生した振動を受けて受振レベルを検出するものであって前記テンキーシートにおいて隣合う４つのキー部群の中心部に対応して設けられた６個の受振部と、
前記基板に設けられた制御装置とを備え、
この制御装置は、前記４個の加振部に異なるタイミングで択一的に振動を発生させると共に、前記６個の受振部を常時受振状態とし、
且つ、この制御装置は、全キー部無タッチ状態での各加振部の振動発生時における各受振部の受振レベルデータを初期データとして記憶部に記憶すると共に、全キー部無タッチ状態からの前記各キー部タッチごとの各加振部の振動発生時における各受振部の受振レベルの変化有無をキー部特定パターンとしたキー部特定用データテーブルを記憶部に有し、
さらに、前記各加振部の各振動発生時での前記各受振部の受振レベルを一次データとして取得し、この取得した一次データを前記初期データと比較して被判定用データを作成し、この被判定用データが前記キー部特定用データテーブルのいずれのキー部タッチパターンに該当するかを判断してタッチ操作が有ったキー部を特定する操作キー特定手段を備えたことを特徴とする入退出用暗証キー入力装置。
【請求項３】
屋内外を仕切る仕切り板における屋外面に装着され、３×４列で配列された１２個のキー部を有しこれらキー部がユーザーの指でタッチ操作されるテンキーシートと、
前記仕切り板における屋内面に前記テンキーシートの裏側に対向するように装着される装置本体とを備え、
この装置本体は、
本体ケースと、
この本体ケース内に設けられた基板と、
この基板における前記仕切り板側の面部における前記キー部群の外周の４つの頂部に位置して設けられ振動を発生する４個の加振部と、
前記基板における前記仕切り板側の面部に設けられ、前記加振部が発生した振動レベルを検出するものであって前記テンキーシートの隣合う４つのキー部群の中心部に対応して設けられた６個の受振部と、
前記基板に設けられた制御装置とを備え、
この制御装置は、前記４個の加振部に択一的に異なるタイミングで振動を発生させると共に、前記６個の受振部を常時受振状態とし、前記４個の加振部のうちの一つの加振部を振動発生順位１とし、この一つの加振部と対角位置関係にあるにある加振部を振動発生順位２とし、これら二つの加振部とは異なる別の加振部を振動発生順位３とし、この別の加振部と対角関係にあるさらに異なる別の加振部を振動発生順位４とし、
さらに、前記振動発生順位１の加振部の振動発生時において特定の受振部の受振レベル変化の有無を判断し、変化有りが判断されたときには当該変化有無パターンにより、前記各キー部のうち予め定められた第１グループのキー部に対するタッチ操作有りを特定し、前記第１グループのキー部に対してタッチ操作無しが判断されれば、前記振動発生順位２の加振部の振動発生時において特定の受振部の受振レベル変化の有無を判断し、変化有りが判断されたときには当該変化有無パターンにより、前記第１グループとは別の第２のグループのキー部に対するタッチ操作有りを特定し、
前記第２グループのキー部に対してタッチ操作無しが判断されれば、前記振動発生順位３の加振部の振動発生時において特定の受振部の受振レベル変化の有無を判断し、変化有りが判断されたときには当該変化有無パターンにより、前記第１及び第２グループとは別の第３のグループのキー部に対するタッチ操作有りを特定し、
前記第３グループのキー部に対してタッチ操作無しが判断されれば、振動発生順位３の加振部の振動発生時において特定の受振部の受振レベル変化の有無を判断し、変化有りが判断されたときには当該変化有無パターンにより、残りのキー部に対するタッチ操作有りを特定する操作キー特定手段を備えたことを特徴とする入退出用暗証キー入力装置。
【発明の詳細な説明】
【技術分野】
【０００１】
本発明は加振部及び受振部を備えた入退出用暗証キー入力装置に関する。
【背景技術】
【０００２】
入退出用暗証キー入力装置は、ユーザーが建物に対して入退出する場合に、セキュリティ装置のドアロックを解除するために、暗証コード（例えば暗証番号）を入力するために用いられている。この入退出用暗証キー入力装置は、屋外から屋内へ入るときで用いられることも多く、この場合では、この入退出用暗証キー入力装置が屋外に設置されることもある。
【０００３】
このように屋外に設置されることを考慮すると、雨でも機能不全とならないようにするためにしっかりとした防水構造をとる必要がある。そのため、入退出用暗証キー入力装置の構成が複雑とって製造に手間がかかり、あるいは、当該入退出用暗証キー入力装置の設置時に厳重な防水対策を講じる必要があって、これまた手間がかかる。
【０００４】
そこで、本発明者は、入退出用暗証キー入力装置を屋内（例えばドア内面）に取付けて、これを屋外から入力操作できないか、という発想をした。このようにすれば、屋内側の装置については防水対策を講じる必要はなくなる。ところがこの場合、ユーザーは屋外にいるため、室外から屋内の装置を作動させる入力部材が必要になる。このような観点から従来技術を調査したところ、参考となる技術として特許文献１があった。この特許文献１には、装置本体と入力部材とを屋内側と屋外側とに分ける技術はないが、ペン形の入力部材を使用して装置本体に対する入力を行う構成が開示されている。
【０００５】
詳述すると、この特許文献１では、板状の入力位置表示本体（振動伝播体）の相互に離れた４箇所に振動発生器を設け、この入力位置表示本体の表示面に押し当てられるペン形の入力部材に超音波振動発生部を設け、ユーザーがこの入力部材を持って前記入力表示本体の任意の位置に押し当てると、制御部がこの押し当て点から前記各振動受振部までの距離に応じた各振動受振部の振動受振時間差により、この押し当て点つまり入力位置を特定するようにしている。
【０００６】
このような超音波入力装置において、本発明者の前記発想を適用すると、超音波入力装置を屋内に設置し、ペン状の入力部材を屋外に備えておく構成となる。そして、ユーザーが前記入力部材を持って、前記入力位置表示本体を前記ガラス越しに押すことで、制御部がこの押し当て点である入力位置を特定することになる。
【先行技術文献】
【特許文献】
【０００７】
【特許文献１】特開平０８−３３５１３３号公報、図１４
【発明の概要】
【発明が解決しようとする課題】
【０００８】
ところが上記構成の場合、屋内側に配置された入力位置表示本体は防水構造も比較的容易であるが、加振部を備えた入力部材は屋外にあって風雨に晒されることもあるため、この入力部材については、依然として精密な防水構造が必要である。さらに入力部材の外見がペンと同じであるためで、いたずらでこの入力部材自体が強引に引きちぎられて持ち去られたり、あるいは壊されたり、さらには内部の加振部が持ち去られることも考えられる。
【０００９】
このように、全体的にみれば防水構成を緩和できるものの、入力部材には依然として精密な防水性が必要であると共に、入力部材に対するいたずらなどにより装置自体が動作不能となる可能性も出るといった、入退出用暗証キー入力装置としては大きな問題が残る。
【００１０】
本発明は上述の事情に鑑みてなされたものであり、その目的は、装置全体で必要とする防水性をさらに緩和できると共に、いたずらにも強く対抗できて装置の動作不能といった事態が起きることのない入退出用暗証キー入力装置を提供することにある。
【課題を解決するための手段】
【００１１】
請求項１の入退出用暗証キー入力装置は、屋内外を仕切る仕切り板における屋外面に装着され、３×４列で配列された１２個のキー部を有しこれらキー部がユーザーの指でタッチ操作されるテンキーシートと、前記仕切り板における屋内面に前記テンキーシートの裏側に対向するように装着される装置本体とを備え、この装置本体は、本体ケースと、この本体ケース内に設けられた基板と、この基板における前記仕切り板側の面部に設けられ振動を発生して該振動を前記仕切り板に伝播する複数の加振部と、前記基板における前記仕切り板側の面部に設けられ、前記加振部が発生した振動を受けて受振レベルを検出するものであって前記テンキーシートの各キー部からみてその周囲４箇所に設けられ当該周囲４箇所の４つで一組をなす１２組の受振部と、前記基板に設けられた制御装置とを備え、この制御装置は、前記加振部に常時振動を発生させ及び受振部を常時受振状態とし、前記いずれか一組の受振部の受振レベルが以前の受振レベルに対して変化したときに当該一組の受振部に対応するキー部についてタッチ操作有りと特定する操作キー特定手段を備えたところに特徴を有する。
【００１２】
この請求項１の入退出用暗証キー入力装置においては、常時、加振部が振動を発生し、振動は前記仕切り板に伝播しており、又、受振部は受振状態である。この状態において、ユーザーによるいずれかのキー部へのタッチが無いときには、前記仕切り板に伝播した振動は、各受振部で受振されており、各受振部における受振レベルは、指タッチの無い状況に応じた特有の受振レベルとなっており、ユーザーによるキー部へのタッチがない限り、各受振部の受振レベルに変化が無い状態となっている。
【００１３】
そして、この無タッチ状態から、ユーザーがキー入力をするために、１２個のキー部のうちいずれかのキー部に指でタッチすると、このタッチにより振動伝播が減衰し、そのキー部の周囲で組をなす４つの受振部での受振レベルが変化する。なお、この場合、他の受振部の受振レベルも変化することがあるが、上記４つの受振部とは指のタッチ箇所からの離間距離が遠いでのレベル変化度合が上記４つの受振部とは異なる。
【００１４】
すると、制御装置のキー操作特定手段が、受振レベル変化に特徴がある４つ一組の受振部を認識し、この一組の受振部に囲まれたキー部をタッチ操作が有ったキー部として特定する。この結果、ユーザーが屋外でテンキーシートのキー部にタッチ操作しても、屋内の装置本体でタッチ操作されたキー部を特定することができる。
【００１５】
このように、ユーザーが屋外において入力部材を使わずにキー入力できるから、屋外に設置される入力部材自体をなくし得、防水対策そのものを不要にできる。そして、装置本体は屋内に存在するため、この装置本体自体の防水対策も必要でなく、あえて防水対策をとるとしても生活防水程度でよく、風雨に対するような厳しい防水対策は全く必要としない。
【００１６】
さらに、上述のように屋外での入力部材が全く必要でないから、いたずら対象となるもの自体がなく、いたずらにも強く対抗できたものとなる。
又、請求項２の入退出用暗証キー入力装置は、屋内外を仕切る仕切り板における屋外面に装着され、３×４列で配列された１２個のキー部を有しこれらキー部がユーザーの指でタッチ操作されるテンキーシートと、前記仕切り板における屋内面に前記テンキーシートの裏側に対向するように装着される装置本体とを備え、この装置本体は、本体ケースと、この本体ケース内に設けられた基板と、この基板における前記仕切り板側の面部における前記キー部群の外周の４つの頂部に位置して設けられ振動を発生して該振動を前記仕切り板に伝播する４個の加振部と、前記基板における前記仕切り板側の面部に設けられ、前記加振部が発生した振動を受けて受振レベルを検出するものであって前記テンキーシートにおいて隣合う４つのキー部群の中心部に対応して設けられた６個の受振部と、前記基板に設けられた制御装置とを備え、この制御装置は、前記４個の加振部に異なるタイミングで択一的に振動を発生させると共に、前記６個の受振部を常時受振状態とし、且つ、この制御装置は、全キー部無タッチ状態での各加振部の振動発生時における各受振部の受振レベルデータを初期データとして記憶部に記憶すると共に、全キー部無タッチ状態からの前記各キー部タッチごとの各加振部の振動発生時における各受振部の受振レベルの変化有無をキー部特定パターンとしたキー部特定用データテーブルを記憶部に有し、さらに、前記各加振部の各振動発生時での前記各受振部の受振レベルを一次データとして取得し、この取得した一次データを前記初期データと比較して被判定用データを作成し、この被判定用データが前記キー部特定用データテーブルのいずれのキー部タッチパターンに該当するかを判断してタッチ操作が有ったキー部を特定する操作キー特定手段を備えたところに特徴を有する。
【００１７】
この請求項２の入退出用暗証キー入力装置においては、前記キー部群の外周の４つの頂部に位置してそれぞれ加振部を設け、この４つの加振部を択一的に異なるタイミングで振動を発生させ、各受振部を常時受振状態とする。このタイミングの１周期は、ユーザーの指がタッチされて離れる一般的な期間よりはるかに短い周期に設定される。つまり、ユーザーがキー部に普通にタッチした場合には、このタッチ期間において上記タイミングは少なくとも１周期以上は巡回する。
【００１８】
この請求項２の入退出用暗証キー入力装置においては、キー部群の外周の４つの頂部に位置してそれぞれ加振部を設け、前記テンキーシートにおいて隣合う４つのキー部群の中心部に対応して６つの受振部を設け、前記４つの加振部の振動発生タイミングを順次変更するから、ユーザーが指で任意のキー部にタッチすると、この指のタッチ部位と振動発生源の位置とによって、振動発生源の振動が減衰する領域とさほど減衰しない領域がでてくる。つまり、指が同一のタッチ箇所をタッチしている間において、各加振部の振動発生タイミングが順次切り替えられるため、振動発生源位置が順次変位し、その変位の都度、テンキーシートにおいて振動が減衰される領域が変化し、よって、各加振部の振動発生ごとに、減衰された振動を受振する受振部（受振レベルが変化する受振部）と、減衰されない振動を受振する受振部（受振レベルが変化しない受振部）とのパターンが異なってくる。この各加振部の振動発生タイミングを一巡させた各受振部の受振レベルパターンは、最初に初期データとして取得され、次に一次データとして取得される。そして、この初期データと一次データとから被判定用データとして作成される。そして、各受振部の受振レベル変化有無パターンである前記被判定用データをキー部特定用データテーブルと比較することで、タッチ操作されたキー部を特定するから、タッチ操作されたキー部を確実に特定できる。
【００１９】
又、この請求項２によれば、基本的に請求項１同様に、ユーザーが屋外において入力部材を使わずにキー入力できるから、屋外に設置される入力部材自体をなくし得、防水対策そのものを不要にできる。そして、装置本体は屋内に存在するため、この装置本体自体の防水対策も必要でなく、あえて防水対策をとるとしても生活防水程度でよく、風雨に対するような厳しい防水対策は全く必要としない。又、上述のように屋外での入力部材が全く必要でないから、いたずら対象となるもの自体がなく、いたずらにも強く対抗できたものとなる。
【００２０】
さらには、上述した加振部の振動発生タイミングの切り替え制御によって被判定用データを作成し、この被判定用データとキー部特定用データテーブルとの比較によってタッチキー部の特定を行うから、請求項１の場合よりも少ない受振部及び加振部であってもタッチキー部を確実に特定でき、もって、構成の簡単化を図り得る。
【００２１】
請求項３の入退出用暗証キー入力装置は、請求項２の操作キー特定手段に代えて次の操作キー特定手段を備えている。すなわち、この請求項３の操作キー特定手段は、前記４個の加振部に択一的に異なるタイミングで振動を発生させると共に、前記６個の受振部を常時受振状態とし、前記４個の加振部のうちの一つの加振部を振動発生順位１とし、この一つの加振部と対角位置関係にあるにある加振部を振動発生順位２とし、これら二つの加振部とは異なる別の加振部を振動発生順位３とし、この別の加振部と対角関係にあるさらに異なる別の加振部を振動発生順位４とし、さらに、前記振動発生順位１の加振部の振動発生時において特定の受振部の受振レベル変化の有無を判断し、変化有りが判断されたときには当該変化有無パターンにより、前記各キー部のうち予め定められた第１グループのキー部に対するタッチ操作有りを特定し、前記第１グループのキー部に対してタッチ操作無しが判断されれば、前記振動発生順位２の加振部の振動発生時において特定の受振部の受振レベル変化の有無を判断し、変化有りが判断されたときには当該変化有無パターンにより、前記第１グループとは別の第２のグループのキー部に対するタッチ操作有りを特定し、前記第２グループのキー部に対してタッチ操作無しが判断されれば、前記振動発生順位３の加振部の振動発生時において特定の受振部の受振レベル変化の有無を判断し、変化有りが判断されたときには当該変化有無パターンにより、前記第１及び第２グループとは別の第３のグループのキー部に対するタッチ操作有りを特定し、前記第３グループのキー部に対してタッチ操作無しが判断されれば、振動発生順位３の加振部の振動発生時において特定の受振部の受振レベル変化の有無を判断し、変化有りが判断されたときには当該変化有無パターンにより、残りのキー部に対するタッチ操作有りを特定する操作キー特定手段を備えたところに特徴を有する。
【００２２】
この請求項３においては、ユーザーによりタッチ操作されたキー部が第１グループに属するときには振動発生順位１の加振部の振動発生時においてそのタッチ操作されたキー部が特定され、又、前記タッチ操作されたキー部が第２グループに属するときには振動発生順位２の加振部の振動発生時においてそのタッチ操作キー部が特定され、さらに、前記タッチ操作されたキー部が第３グループに属するときには振動発生順位３の加振部の振動発生時においてそのタッチ操作されたキー部が特定され、残りのキー部がタッチ操作されたときには、振動発生順位３の加振部の振動発生時において特定される。
【００２３】
このように、請求項３によれば、タッチ操作キー部に対する特定が、早い場合には、振動発生順位１の加振部の振動発生時に、又は振動発生順位２の加振部Ｓ４の振動発生時でなされ、遅くても振動発生順位４の加振部の振動発生終了まで、つまり４つの加振部を一通り振動を発生させれば、どのキー部がタッチ操作されたかを特定できる。この結果、請求項２の場合よりも、キー部特定に要する時間を短縮できる。
【図面の簡単な説明】
【００２４】
【図１】本発明の第１実施形態を示すもので、入退出用暗証キー入力装置の正面視と電気的構成を合わせた図
【図２】入退出用暗証キー入力装置の側面図
【図３】各部の波形図
【図４】制御内容を示すフローチャート
【図５】本発明の第２実施形態を示す図１相当図
【図６】図２相当図
【図７】キー部特定用データテーブルを概念的に示す図
【図８】各部の波形図
【図９】各加振部振動発生時の振動伝播の様子を示す模式図
【図１０】制御内容を示すフローチャート
【図１１】本発明の第３実施形態を示すもので、制御内容を示すフローチャート（その１）
【図１２】同じく制御内容を示すフローチャート（その２）
【図１３】タッチ操作有りの特定のしかたを説明するためのキー部特定用データテーブルの概念図
【図１４】タッチ操作有りの特定順序を説明するための図である。
【発明を実施するための形態】
【００２５】
以下、本発明の第１実施形態について図１ないし図４を参照して説明する。まず、図１及び図２において、入退出用暗証キー入力装置１は、テンキーシート２と、装置本体３とを備えている。前記テンキーシート２は、３（横３列）×４列（縦４列）で配列された１２個のキー部Ｋ１、Ｋ２、・・・Ｋ９、Ｋ０、Ｋ※、Ｋ＃を有する。各キー部Ｋ１・・・Ｋ＃は前記テンキーシート２に例えば印刷により形成されている。
【００２６】
このテンキーシート２は、屋内外を仕切る仕切り板に相当する例えば扉の透明なガラス板４の屋外面に例えば接着により装着されている。これらキー部Ｋ１・・・Ｋ＃は、ユーザーの指でタッチ操作される。ここでキー部Ｋ１は数字「１」キー、同様に、キー部Ｋ２は数字「２」キー、・・・キー部Ｋ９は数字「９」キー、キー部Ｋ０は数字「０」キー、キー部Ｋ※は記号「※」キー、キー部Ｋ＃は記号「＃」キーを示す。
【００２７】
前記装置本体３は、前記ガラス板４の屋内面に前記テンキーシート２の裏側に対向するように接着剤あるいは両面テープなどの接着手段３ａにより装着されている。この装置本体３は、本体ケース５と、この本体ケース５内に設けられた基板６と、この基板６における前記ガラス板４側の面部に設けられた加振部Ｓ１、Ｓ２、・・・Ｓ９、Ｓ０、Ｓ※、Ｓ＃及び受振部Ｒ１〜Ｒ２０と、本体ケース５における上部に前記ガラス板４側に向くように設けられた表示器９と、制御装置１０とを有してなる。
前記加振部Ｓ１・・・Ｓ＃は、前記各キー部Ｋ１・・・Ｋ＃の裏側に対応している。これら加振部Ｓ１・・・Ｓ＃は例えば圧電振動子から構成されており、通電されると振動を発生して前記ガラス板４に振動を伝播する。
【００２８】
前記受振部Ｒ１〜Ｒ２０は、各キー部Ｋ１・・・Ｋ＃から見て周囲４箇所に対応するように設けられており、この周囲４つの受振部で一組の受振部を構成し、これが１２組ある。この場合、隣り合う各キー部Ｋ１・・・Ｋ＃の境界に位置する受振部は当該隣り合うキー部で共用されている。つまり、例えば、受振部Ｒ６をみると、隣りあうキー部Ｋ１、Ｋ２、Ｋ４、Ｋ５で各組の一部として共用されている。これら受振部Ｒ１〜Ｒ２０は例えばマイクロフォンから構成されており、前記加振部Ｓ１・・・Ｓ＃の振動をガラス板４を介して受けて受振レベルに応じた信号（図３参照）を出力する。
【００２９】
前記表示器９は、例えば液晶ディスプレーから構成されている。
前記制御装置１０は、前記基板６に設けられており、制御回路１０ａ、加振部駆動回路１０ｂ、受振回路１０ｃとを有して構成されている。制御回路１０ａはＣＰＵ、ＲＡＭ、ＲＯＭなどを備えて構成されており、加振部駆動回路１０ｂを介して前記加振部Ｓ１・・・Ｓ＃を通断電制御すると共に、各受振部Ｒ１〜Ｒ２０が検出した受振レベルを前記受振回路１０ｃを介して取得する。又、この制御回路１０ａは、前記表示器９を後述のように制御する。さらにこの制御回路１０ａは、後述するが操作キー特定手段としても機能する。
【００３０】
さて、上述の構成の作用について説明する。制御装置１０における制御回路１０ａは、この入退出用暗証キー入力装置１の図示しない電源スイッチがオンされると、加振部Ｓ1・・・Ｓ＃を通電すると共に、受振部Ｒ1〜Ｒ２０を通電する（ステップＴ１）。上記加振部Ｓ１・・・Ｓ＃は、上記通電によって振動を発生し、この振動はガラス板４に伝播する。そして受振部Ｒ１〜Ｒ２０は上記通電によって受振状態となり、これら加振部Ｓ１・・・Ｓ＃の振動（合成振動）をガラス板４を介して受振する。
【００３１】
そして、制御回路１０ａは、ユーザーによるタッチ操作の無い初期状況（電源オン直後は無タッチである）での各受振部Ｒ１〜Ｒ２０の個々の受振レベルを取得し、この受振レベル群を、初期データとする（ステップＴ２）。この初期データは、本装置の出荷前にメーカー側で予め設定しておいても良い。
【００３２】
さらに制御回路１０ａは、全受振部Ｒ１〜Ｒ２０の受振レベルを個々に取得し（ステップＴ３）、前回の受振レベル（最初は前記初期データ）に対して今回と受振レベルが変化（減衰）した受振部があれば（ステップＴ４）、当該受振部を「変化のあった受振部」として記憶する（ステップＴ５）。次に、上記「変化のあった受振部」がいずれの組に属する受振部かを判定する（ステップＴ６）。同じ組を構成する受振部が４つあれば（ステップＴ７）、当該組に対応するキー部がタッチ操作されたキー部であると特定する（ステップＴ８）。つまり、いずれか一組の受振部の受振レベルが以前の受振レベルに対して変化したときに当該一組の受振部に対応するキー部についてタッチ操作有りと特定する。この後、特定されたキー部が示すキー内容（数字１とか２、＃、※など）を表示器９に表示させる（ステップＴ９）。なお、セキュリティ上、表示許可が設定されていない場合には実際には使用しない記号などを表示する。
【００３３】
ここで、上述の制御をユーザーのタッチ操作の一例をあげて具体的に説明する。今、いずれのキー部に対しても、ユーザーによるタッチ操作が無いときには、各加振部Ｓ１・・・Ｓ＃から前記ガラス板４に伝播した振動は、各受振部Ｒ１〜Ｒ２０で受振されており、各受振部Ｒ１〜Ｒ２０における受振レベルは、この状況（無タッチ状況）特有の受振レベル、つまりステップＴ２で作成された初期データと同じである。そして、ユーザーによるキー部へのタッチがない限り、各受振部Ｒ１〜Ｒ２０の受振レベルに変化が無い状態となっている。
【００３４】
そして、この無タッチ状態から、１２個のキー部のうち、例えば、ユーザーが数字「８」を入力すべく、指Ｙでキー部Ｋ８をタッチ操作したとする。すると、この指Ｙに最も近い加振部Ｓ８で発生した信号が、当該キー部Ｋ８裏側で減衰される。すると、このキー部Ｋ８周囲の受振部Ｒ１０、Ｒ１１、Ｒ１４、Ｒ１５の受振レベルが最も低下する。なお、この場合、他の受振部の受振レベルも変化することがあるが、上記４つの受振部とは指Ｙのタッチ箇所からの離間距離が遠いでのレベル変化度合（低下度合い）が上記４つの受振部とは異なる（変化度合は少ない）。
【００３５】
上述の各受振部の振動レベルは前記ステップＴ３で取得され、ステップＴ４が「ＹＥＳ」となり、ステップＴ５で上記受振部Ｒ１０、Ｒ１１、Ｒ１４、Ｒ１５が記憶される。そして、ステップＴ６で、これら受振部Ｒ１０、Ｒ１１、Ｒ１４、Ｒ１５がキー部Ｋ８に対応する組を構成する４つの受振部であることが判定され、ステップＴ８で受振部Ｒ１０、Ｒ１１、Ｒ１４、Ｒ１５の組が対応するキー部Ｋ８がタッチ操作されたキー部であると特定され、ステップＴ９で表示される。
【００３６】
他のキー部がタッチ操作された場合も上述と同様に特定される。この結果、ユーザーが屋外でテンキーシート２のキー部Ｋ１・・・Ｋ＃にタッチ操作しても、屋内の装置本体３でタッチ操作されたキー部を特定することができる。
【００３７】
このように本実施形態によれば、ユーザーが屋外において従来のような入力部材を使わずにキー入力できるから、屋外に設置される入力部材自体をなくし得、防水対策そのものを不要にできる。そして、装置本体３は屋内に存在するため、この装置本体３自体の防水対策も必要でなく、あえて防水対策をとるとしても生活防水程度でよく、風雨に対するような厳しい防水対策は全く必要としない。
【００３８】
さらに、上述のように屋外での入力部材が全く必要でないから、いたずら対象となるもの自体がなく、いたずらにも強く対抗できたものとなる。
次に本発明の第２実施形態について図５ないし図１０を参照して説明する。この第２実施形態について、前記第１実施形態と異なる部分について説明する。
【００３９】
まず図５及び図６において、この第２実施形態では、４つの加振部Ｓ１〜Ｓ４が設けられている。すなわち、この加振部Ｓ１〜Ｓ４は、キー部Ｋ１・・・Ｋ＃群の外周（この外周形はほぼ四角形）の４つの頂部に対応して基板６のガラス板４側に設けられている。
【００４０】
又、受振部としては６つの受振部Ｒ１〜Ｒ６が、テンキーシート２において隣り合う４つのキー部群の中心部に対応して基板６のガラス板４側に設けられている。
制御装置１０は、制御回路１０ａにおける記憶部として不揮発性メモリ（図示せず）を有し、この不揮発性メモリには、予め、キー部特定用データテーブルが記憶されている。このキー部特定用データテーブルを図７に示す。このキー部特定用データテーブルのうち、図７（ａ）のキー部特定パターンは、次のようにして作成されている。最初に、いずれのキー部にもタッチしない状態で、加振部Ｓ１〜Ｓ４の振動発生を順次切り替えたときの、全受振部Ｒ１〜Ｒ６の受振レベル（レベル「高」、図８のｔ１期間参照）を測定し、次に同じ条件（全キー部無タッチ、加振部Ｓ１〜Ｓ４振動発生切替）で全受振部Ｒ１〜Ｒ６の受振レベルを測定し、最初に対して各受振部Ｒ１〜Ｒ６の受振レベル（この場合もレベル「高」、図８のｔ１期間参照）に変化があったか否かのデータを示しており、「１」は変化（レベル低下）有りを示し、「−」は変化無しを示している。この図７（ａ）では、すべて変化無し（「−」）である。
【００４１】
又、図７（ｂ）のキー部特定パターンは、全キー部無タッチからキー部Ｋ１にタッチして、加振部Ｓ１〜Ｓ４の振動発生を順次切り替えたときの各受振部Ｒ１〜Ｒ６の受振レベルの変化の有無についてのデータである。この図７（ｂ）のデータは、加振部Ｓ１の振動発生時においては全受振部Ｒ１〜Ｒ６で受振レベルの変化（無タッチからキー部Ｋ１タッチによる受振レベル変化（減衰））がみられ、加振部Ｓ２、Ｓ３、Ｓ４の振動発生時では、いずれも各受振部Ｒ１〜Ｒ６の受振レベル変化はみられないことを示している。
【００４２】
以下、図７（ｃ）のキー部特定パターンは、全キー部無タッチからキー部Ｋ２にタッチして、加振部Ｓ１〜Ｓ４の通電発生を順次切り替えたときの各受振部Ｒ１〜Ｒ６の受振レベルの変化の有無についてのデータ、図７（ｄ）のキー部特定パターンは、全キー部無タッチからキー部Ｋ３にタッチしたときの各受振部Ｒ１〜Ｒ６のデータ、図７（ｅ）のキー部特定パターンは、全キー部無タッチからキー部Ｋ４にタッチしたときの各受振部Ｒ１〜Ｒ６のデータ、図７（ｆ）のキー部特定パターンは、全キー部無タッチからキー部Ｋ５にタッチしたときの各受振部Ｒ１〜Ｒ６のデータ、図７（ｇ）のキー部特定パターンは、全キー部無タッチからキー部Ｋ６にタッチしたときの各受振部Ｒ１〜Ｒ６のデータ、図７（ｈ）のキー部特定パターンは、全キー部無タッチからキー部Ｋ７にタッチしたときの各受振部Ｒ１〜Ｒ６のデータ、図７（ｉ）のキー部特定パターンは、全キー部無タッチからキー部Ｋ８にタッチしたときの各受振部Ｒ１〜Ｒ６のデータ、図７（ｊ）のキー部特定パターンは、全キー部無タッチからキー部Ｋ９にタッチしたときの各受振部Ｒ１〜Ｒ６のデータ、図７（ｋ）のキー部特定パターンは、全キー部無タッチからキー部Ｋ※にタッチしたときの各受振部Ｒ１〜Ｒ６のデータ、図７（ｌ）のキー部特定パターンは、全キー部無タッチからキー部Ｋ０にタッチしたときの各受振部Ｒ１〜Ｒ６のデータ、図７（ｍ）のキー部特定パターンは、全キー部無タッチからキー部Ｋ＃にタッチしたときの各受振部Ｒ１〜Ｒ６のデータを示す。
【００４３】
このようなキー部特定用データテーブルの上記各キー部特定パターンが何故こうなるかについて、例えば図７（ｉ）のキー部Ｋ８タッチの場合について説明する。図５及び図９に示すように、ユーザーの指Ｙがキー部Ｋ８にタッチすると、加振部Ｓ１の振動発生時には、加振部Ｓ１から放射方向へ伝播した振動が指Ｙにより減衰され、振動発生部である加振部Ｓ１に対してこの指Ｙの陰となる領域に存在する受振部Ｒ６では、図８の波形図の部分Ｒ６ａから分かるように、受振レベルが変化（低下）する。他の受振部Ｒ１〜Ｒ５は指Ｙによる振動減衰領域にないから、受振レベルは変化しない。この結果、加振部Ｓ１振動発生時は受振部Ｒ６が変化有り（「１」）で他の受振部Ｒ１〜Ｒ５が変化無し（「−」）のデータとなる。そして加振部Ｓ２振動発生時は、この加振部Ｓ２に対して指Ｙの陰となる領域に存在する受振部Ｒ５が図８の部分Ｒ５ａから分かるように受振レベル変化有り（「１」）で、他の受振部は受振レベル変化無し（「−」）となる。同様に、加振部Ｓ３振動発生時では、この加振部Ｓ３に対して指Ｙの陰となる領域に存在する受振部Ｒ４が図８の部分Ｒ４ａから分かるように受振レベル変化有り（「１」）で、他の受振部は受振レベル変化無し（「−」）となり、加振部Ｓ４振動発生時では、この加振部Ｓ４に対して指Ｙの陰となる領域に存在する受振部Ｒ３が図８の部分Ｒ３ａから分かるように受振レベル変化有り（「１」）で、他の受振部は受振レベル変化無し（「−」）となる。
【００４４】
又、この第２実施形態における制御装置１０の制御回路１０ａの操作キー特定手段としての機能も第１実施形態と異なる。この操作キー特定手段について、図１０を参照して説明する。制御回路１０ａは、この図１０に示す制御を極めて速い速度で実行しており、最もステップ数の多い制御でも、普通にユーザーが指をテンキーシート２にタッチして離す速度よりも極めて速い速度である。
【００４５】
制御回路１０ａは、最初に、ステップＵ１で示すように、初期データを取得する。すなわち、全キー部Ｋ１・・・Ｋ＃無タッチで各加振部Ｓ１〜Ｓ４をその順に通電して振動を発生させ、受振部Ｒ１〜Ｒ６の受振レベルを読み込み、これら受振レベル結果を初期データとして取得し記憶する。この初期データは、本装置の出荷前に予め測定して記憶させておいても良い。この初期データの各加振部Ｓ１〜Ｓ４部での各受振部Ｒ１〜Ｒ６のレベルは、いずれも図８の期間ｔ１で示すように高い。
【００４６】
そして、ステップＵ２〜ステップＵ６で示すように、キー部Ｋ１・・・Ｋ＃に対するタッチ操作が有ったか否かを調べるために、加振部Ｓ１〜Ｓ４をその順に択一的に通電して振動を発生させ、各振動発生時での各受振部Ｒ１〜Ｒ６の受振レベルを一次データとして取得する。
【００４７】
この後、ステップＵ７では、前記初期データに対して、ステップＵ２〜ステップＵ６で取得した一次データを比較し、どの加振部の振動発生時にどの受振部の受振レベルが変化したか（あるいは変化しなかったか）を調べ、被判定データを作成する。この被判定データは、各加振部振動発生時において各受振部Ｒ１〜Ｒ６のいずれにも受振レベルに変化がなければ、この被判定用データは図７（ａ）と同じになる。又、例えばステップＵ２〜ステップＵ６においてキー部Ｋ８がタッチ操作されていたとすると、このときの被判定用データは図７（ｉ）と同じとなる。
【００４８】
次のステップＵ８では、上述の被判定用データがキー部特定用データテーブルのいずれ（図７（ａ）〜（ｍ）のいずれか）のキー部特定パターンに合致（該当）するかを判定する。ここでは、いずれかのキー部特定パターンと合致する。ちなみに、被判定用データが図７（ａ）のパターンであれば、ステップＵ８（ａ）で無タッチつまりタッチされたキー部が無いと判断し、又、被判定データが図７（ｂ）のパターンであれば、ステップＵ８（ｂ）でキー部Ｋ１がタッチ操作されたと特定する。又、被判定データが図７（ｍ）のパターンであれば、ステップＵ８（ｍ）でキー部Ｋ＃にタッチ操作されたと特定し、許可であれば表示器９にキー数字あるいはキー記号を表示し、許可でなければ実際には使用しない記号を表示する。
【００４９】
無タッチ（ステップＵ８（ａ））であれば前記ステップＵ２に戻り、いずれかにキー部タッチ操作有りであれば（ステップＵ８（ｂ）〜ステップＵ８（ｍ）のいずれかであれば）、ステップＵ９〜ステップＵ１３に移行して、再度、キー部Ｋ１・・・Ｋ＃に対するタッチ操作が有ったか否かを調べるために、加振部Ｓ１〜Ｓ４をその順に択一的に振動を発生させ、各振動発生時での各受振部Ｒ１〜Ｒ６の受振レベルを取得する。ここで取得されたデータを二次データという。
【００５０】
次に、ステップＵ１４では、前回（ステップＵ２〜ステップＵ６）で得られた一次データに対して、今回（ステップＵ９〜ステップＵ１３）で得られた二次データに変化があったか否かを判断し、変化がなければ、前記特定したキー部でのタッチ操作が継続していると判断し、再度ステップＵ９〜ステップＵ１３に移行して二次データを取得する。そして、前回の二次データに対して今回の二次データに変化があれば、つまり、タッチ操作が解除されるか、別のキー部がタッチ操作されるかして、両データ間に変化がでれば、前記ステップＵ２〜ステップＵ６に移行して再度一次データを取得し、ステップＵ７でこの一次データと前記初期データとから被判定用データを作成し、この被判定用データをステップＵ８でキー部特定用データテーブルと比較して前述したようにタッチ操作されたキー部の特定、あるいは全無タッチ判定を行う。
【００５１】
ここで、例えばキー部Ｋ８がユーザーによってタッチ操作された場合を例にとって、具体的に説明すると、ステップＵ４における一次データの内容が、図９からも分るように、加振部Ｓ１振動発生時に受振部Ｒ６受振レベル変化有り、加振部Ｓ２振動発生時に受振部Ｒ５受振レベル変化有り、加振部Ｓ３振動発生時に受振部Ｒ４受振レベル変化有り、加振部Ｓ４振動発生時に受振部Ｒ３受振レベル変化有り、これ以外は各振動発生タイミングで受振部受振レベル変化無しとなる。この内容の一次データは、ステップＵ８で、図７（ｉ）のキー部特定パターンに該当すると判断されるから、キー部Ｋ８がタッチ操作されたキー部であると特定される。
【００５２】
ここまでの説明から分かるように、この第２実施形態によれば、キー部Ｋ１・・・Ｋ＃群の外周の４つの頂部に位置してそれぞれ加振部Ｓ１〜Ｓ４を設け、前記テンキーシート２において隣合う４つのキー部群の中心部に対応して受振部Ｋ１〜Ｋ６を設け、前記４つの加振部Ｓ１〜Ｓ４の振動発生タイミングを順次変更するから、ユーザーが指Ｙで任意のキー部にタッチすると、この指Ｙのタッチ部位と振動発生源の位置とによって、振動発生源の振動が減衰する領域とさほど減衰しない領域がでてくる。つまり、指Ｙが同一のタッチ箇所をタッチしている間において、各加振部Ｓ１・・・Ｓ＃部の振動発生タイミングが順次切り替えられるため、振動発生源位置が順次変位し、その変位の都度、テンキーシート２において振動が減衰される領域が変化し、よって、各加振部Ｓ１・・・Ｓ＃部の振動発生ごとに、減衰された振動を受振する受振部（受振レベルが変化する受振部）と、減衰されない振動を受振する受振部（受振レベルが変化しない受振部）とのパターンが異なってくる。
【００５３】
そして、各加振部の振動発生タイミングを一巡させた各受振部の受振レベルパターンは、最初に初期データとして取得され、次に一次データとして取得される。さらに、この初期データと一次データとから被判定用データとして作成される。そして、各受振部Ｒ１〜Ｒ２０の受振レベル変化有無パターンである前記被判定用データをキー部特定用データテーブルの各キー部特定パターンと比較することで、タッチ操作されたキー部を特定するから、タッチ操作されたキー部を確実に特定できるのである。
【００５４】
しかも、この第２実施形態によれば、受振部Ｒ１〜Ｒ６及び加振部Ｓ１〜Ｓ４部の合計個数を前記実施形態１の場合よりも少なくしつつ、各キー部Ｋ１・・・Ｋ＃に対するタッチ操作を特定でき、構成の簡単化を図り得る。
【００５５】
なお、この第２実施形態においても、基本的に第１実施形態同様に、ユーザーが屋外において入力部材を使わずにキー入力できるから、屋外に設置される入力部材自体をなくし得、防水対策そのものを不要にできる。そして、装置本体は屋内に存在するため、この装置本体自体の防水対策も必要でなく、あえて防水対策をとるとしても生活防水程度でよく、風雨に対するような厳しい防水対策は全く必要としない。又、上述のように屋外での入力部材が全く必要でないから、いたずら対象となるもの自体がなく、いたずらにも強く対抗できたものとなる。
【００５６】
図１１及び図１４は本発明の第３実施形態を示しており、この第３実施形態では制御回路１０ａの操作キー特定手段が第２実施形態と異なる。以下、当該操作キー特定手段について図説明する。なお、図１３は図７と同じキー部特定用データテーブルを再掲したものである。又、以下の説明から明らかとなるが、キー部Ｋ１、Ｋ２、Ｋ４、Ｋ５、Ｋ７、Ｋ８を第１グループとし、キー部Ｋ＃、Ｋ０、Ｋ９、Ｋ６を第２グループとし、キー部Ｋ３を一つであるが第３グループとし、残るキー部をキー部Ｋ※としている。
【００５７】
この制御回路１０ａは、図１１のステップＶ１に示すように、前記第２実施形態のステップＵ１同様に初期データを取得する。すなわち、全キー部Ｋ１・・・Ｋ＃無タッチで各加振部Ｓ１〜Ｓ４振動を発生させて受振部Ｒ１〜Ｒ６の受振レベルを読み込み、初期データとして記憶する。なお、この場合の加振部Ｓ１〜Ｓ４部の振動発生順序はどの順序でも良い。そしてステップＶ２では、前記４個の加振部Ｓ１〜Ｓ４の振動発生順位を設定する。この場合、前記４個の加振部Ｓ１〜Ｓ４のうちの一つの加振部例えば加振部Ｓ１を振動発生順位１とし、この加振部Ｓ１と対角位置関係にあるにある加振部Ｓ４を振動発生順位２とし、これら二つの加振部Ｓ１、Ｓ４とは異なる別の加振部Ｓ２を振動発生順位３とし、この別の加振部Ｓ２と対角関係にあるさらに異なる別の加振部Ｓ３を充電順位４としている。
【００５８】
そして、全体的な制御を概略的にいうと、図１１のステップＶ３〜ステップＶ１５では、次に述べるように、第１グループのキー部に対してタッチ操作が有ったか否かを判断し、図１２のステップＶ１６〜ステップＶ２４では第２グループのキー部に対してタッチ操作が有ったか否かを判断し、ステップＶ２５〜ステップＶ２７では第３グループのキー部に対してタッチ操作が有ったか否かを判断し、ステップＶ２８ステップＶ３０では残りのキー部に対してタッチ操作が有ったか否かを判断する。
【００５９】
次に、具体的に説明する。まず、ステップＶ３で前記振動発生順位１の加振部Ｓ１を単独で通電して振動を発生（図では「発振」と表現）させ、この振動発生時において、ステップＶ４で、最初に受振部Ｒ１の受振レベルが前記初期データの加振部Ｓ１での受振部Ｒ１の受振レベルに対して変化が有った（「１」）か否（「−」）かを判断し、変化があれば、この変化有無パターン（Ｓ１のＲ１「１」）がみられるのは、図１３（ｂ）でＳ１のＲ１「１」（太線欄参照）しかないから、ステップＶ５でキー部Ｋ１がタッチ操作されたと特定し、且つキー番号又はキー記号を表示し、今回の特性制御を修了して、再度ステップＶ３に戻る。
【００６０】
上記ステップＶ４で受振部Ｒ１の受振レベルに変化が無いと判断されると、ステップＶ６に移行して受振部Ｒ２で受振レベルに変化が有ったか否かを判断し、変化有りと判断されれば、この変化有無パターン（Ｓ１のＲ１「−」、Ｒ２「１」）がみられるのは、図１３（ｃ）のＳ１のＲ１「−」、Ｒ２「１」（太線欄参照）しかないから、ステップＶ７でキー部Ｋ２がタッチ操作されたと特定し、表示する。
【００６１】
そして、ステップＶ６で変化無しと判断されれば、ステップＶ８に移行して、受振部Ｒ３の受振レベルについて変化が有るか否かを判断し、変化が有れば、この変化有無パターン（Ｓ１のＲ１「−」、Ｒ２「−」、Ｒ３「１」）がみられるのは、図１３（ｅ）のＳ１のＲ１「−」、Ｒ２「−」、Ｒ３「１」（太線参照）しかないから、ステップＶ９でキー部Ｋ４がタッチ操作されたと特定し、表示する。
【００６２】
次にステップＶ８で変化無しと判断されれば、ステップＶ１０に移行して、受振部Ｒ４の受振レベルについて変化が有るか否かを判断し、変化が有れば、この変化有無パターン（Ｓ１のＲ１「−」、Ｒ２「−」、Ｒ３「−」、Ｒ４「１」）がみられるのは、図１３（ｆ）のＳ１のＲ１「−」、Ｒ２「−」、Ｒ３「−」、Ｒ４「１」（太線参照）しかないから、ステップＶ１１でキー部Ｋ５がタッチ操作されたと特定し、表示する。
【００６３】
次にステップＶ１０で変化無しと判断されれば、ステップＶ１２に移行して、受振部Ｒ５の受振レベルについて変化が有るか否かを判断し、変化が有れば、この変化有無パターン（Ｓ１のＲ１「−」、Ｒ２「−」、Ｒ３「−」、Ｒ４「−」、Ｒ５「１」）がみられるのは、図１３（ｈ）のＳ１のＲ１「−」、Ｒ２「−」、Ｒ３「−」、Ｒ４「−」、Ｒ５「１」（太線参照）しかないから、ステップＶ１３でキー部Ｋ７がタッチ操作されたと特定し、表示する。
【００６４】
次にステップＶ１２で変化無しと判断されれば、ステップＶ１４に移行して、受振部Ｒ６の受振レベルについて変化が有るか否かを判断し、変化が有れば、この変化有無パターン（Ｓ１のＲ１「−」、Ｒ２「−」、Ｒ３「−」、Ｒ４「−」、Ｒ５「−」、Ｒ６「１」）がみられるのは、図１３（ｉ）のＳ１のＲ１「−」、Ｒ２「−」、Ｒ３「−」、Ｒ４「−」、Ｒ５「−」、Ｒ６「１」（太線参照）しかないから、ステップＶ１５でキー部Ｋ８がタッチ操作されたと特定し、表示する。
【００６５】
上記ステップＶ１４で変化無しと判断されれば、ステップＶ１６に移行して、今度は振動発生順位２の加振部Ｓ４に単独で通電して振動を発生（発振）させ、ステップＶ１７で受振部Ｒ６の受振レベルについて変化が有るか否かを判断し、変化が有れば、この変化有無パターン（Ｓ１のＲ１「−」〜Ｒ６「−」、Ｓ４のＲ６「１」）がみられるのは、図１３（ｍ）のＳ１のＲ１「−」〜Ｒ６「−」、Ｓ４のＲ６「１」（太線参照）しかないから、ステップＶ１８でキー部Ｋ＃がタッチ操作されたと特定し、表示する。
【００６６】
そして、上記ステップＶ１７で変化無しと判断されれば、ステップＶ１９に移行して、受振部Ｒ５の受振レベルについて変化が有るか否かを判断し、変化が有れば、この変化有無パターン（Ｓ１のＲ１「−」〜Ｒ６「−」、Ｓ４のＲ６「−」、Ｒ５「１」）がみられるのは、図１３（ｌ）のＳ１のＲ１「−」〜Ｒ６「−」、Ｓ４のＲ６「−」、Ｒ５「１」（太線参照）しかないから、ステップＶ１８でキー部Ｋ０がタッチ操作されたと特定し、表示する。
【００６７】
又、上記ステップＶ１９で変化無しと判断されれば、ステップＶ２１に移行して、受振部Ｒ４の受振レベルについて変化が有るか否かを判断し、変化が有れば、この変化有無パターン（Ｓ１のＲ１「−」〜Ｒ６「−」、Ｓ４のＲ６「−」、Ｒ５「−」、Ｒ４「１」）がみられるのは、図１３（ｊ）のＳ１のＲ１「−」〜Ｒ６「−」、Ｓ４のＲ６「−」、Ｒ５「−」、Ｒ４「１」（太線参照）しかないから、ステップＶ２２でキー部Ｋ９がタッチ操作されたと特定し、表示する。
【００６８】
さらに、上記ステップＶ２１で変化無しと判断されれば、ステップＶ２３に移行して、受振部Ｒ２の受振レベルについて変化が有るか否かを判断し、変化が有れば、この変化有無パターン（Ｓ１のＲ１「−」〜Ｒ６「−」、Ｓ４のＲ６「−」、Ｒ５「−」、Ｒ４「−」、Ｒ２「１」）がみられるのは、図１３（ｇ）のＳ１のＲ１「−」〜Ｒ６「−」、Ｓ４のＲ６「−」、Ｒ５「−」、Ｒ４「−」、Ｒ２「１」（太線参照）しかないから、ステップＶ２４でキー部Ｋ６がタッチ操作されたと特定し、表示する。
【００６９】
そして、前記ステップＶ２３で変化無しと判断されれば、ステップＶ２５に移行して振動発生順位３の加振部Ｓ２を単独で通電して振動を発生させ、ステップＶ２６で受振部Ｒ２の受振レベルについて変化が有るか否かを判断し、変化が有れば、この変化有無パターン（Ｓ１のＲ１「−」〜Ｒ６「−」、Ｓ４のＲ６「−」、Ｒ５「−」、Ｒ４「−」、Ｒ２「−」、Ｓ２のＲ２「１」）がみられるのは、図１３（ｄ）のＳ１のＲ１「−」〜Ｒ６「−」、Ｓ４のＲ６「−」、Ｒ５「−」、Ｒ４「−」、Ｒ２「−」、Ｓ２のＲ２「１」（太線参照）しかないから、ステップＶ２７でキー部Ｋ３がタッチ操作されたと特定し、表示する。
【００７０】
さらに、前記ステップＶ２６で変化無しと判断されれば、ステップＶ２８に移行して振動発生順位４の加振部Ｓ３を単独で通電して振動を発生させ、ステップＶ２９で受振部Ｒ５の受振レベルについて変化が有るか否かを判断し、変化が有れば、この変化有無パターン（Ｓ１のＲ１「−」〜Ｒ６「−」、Ｓ４のＲ６「−」、Ｒ５「−」、Ｒ４「−」、Ｒ２「−」、Ｓ２のＲ２「−」、Ｓ３のＲ５「１」）がみられるのは、図１３（ｋ）のＳ１のＲ１「−」〜Ｒ６「−」、Ｓ４のＲ６「−」、Ｒ５「−」、Ｒ４「−」、Ｒ２「−」、Ｓ２のＲ２「−」、Ｓ３のＲ５「１」（太線参照）しかないから、ステップＶ３０でキー部Ｋ３がタッチ操作されたと特定し、表示する。
【００７１】
そして、ステップＶ２９でＲ５について受振レベル変化無しと判断されれば、ステップＶ３１で全キー部無タッチと判断される。
なお、上述の制御におけるキー部特定の順序を図１４にＮＯ．１〜ＮＯ．１２で示している。
【００７２】
このように、この第３実施形態によれば、ユーザーによりタッチ操作されたキー部が第１グループ（キー部Ｋ１、Ｋ２、Ｋ４、Ｋ５、Ｋ７、Ｋ８）に属するときには振動発生順位１の加振部Ｓ１の振動発生時においてそのタッチ操作されたキー部が特定され、又、前記タッチ操作されたキー部が第２グループ（キー部Ｋ＃、Ｋ０、Ｋ９、Ｋ６）に属するときには振動発生順位２の加振部Ｓ２の振動発生時においてそのタッチ操作キー部が特定され、さらに、前記タッチ操作されたキー部が第３グループ（一つであるがキー部Ｋ３）に属するときには振動発生順位３の加振部Ｓ２の振動発生時においてそのタッチ操作されたキー部が特定され、残りのキー部（キー部Ｋ※）がタッチ操作されたときには、振動発生順位３の加振部Ｓ３の振動発生時において特定される。
【００７３】
この結果、タッチ操作キー部に対する特定が、早い場合には、振動発生順位１の加振部Ｓ１の振動発生時、又は振動発生順位２の加振部Ｓ４の振動発生時でなされ、遅くても振動発生順位４の加振部Ｓ３振動発生終了まで、つまり４つの加振部Ｓ１、Ｓ４、Ｓ２、Ｓ３を一通り振動発生させれば、どのキー部がタッチ操作されたかを特定できる。この結果、前記第２実施形態の場合よりも、キー部特定に要する時間を短縮できる。
【００７４】
なお、加振部としては超音波振動子などの他の振動発生手段でも良く、又、受振部としてはマイクロフォン以外の他の振動検出手段でも良い。又、仕切り板としては、表示器を備えなければ、不透明ガラス板や薄板部材でも良い。
【符号の説明】
【００７５】
図面中、１は入退出用暗証キー入力装置、２はテンキーシート、３は装置本体、４はガラス板、５は本体ケース、６は基板、Ｓ１・・・Ｓ＃は加振部、Ｒ１〜Ｒ２０は受振部、９は表示器、１０は制御装置、１０ａは制御回路（操作キー特定手段）を示す。
【図１】
2011198059.tif 000003
【図２】
2011198059.tif 000004
【図３】
2011198059.tif 000005
【図４】
2011198059.tif 000006
【図５】
2011198059.tif 000007
【図６】
2011198059.tif 000008
【図７】
2011198059.tif 000009
【図８】
2011198059.tif 000010
【図９】
2011198059.tif 000011
【図１０】
2011198059.tif 000012
【図１１】
2011198059.tif 000013
【図１２】
2011198059.tif 000014
【図１３】
2011198059.tif 000015
【図１４】
2011198059.tif 000016